(57)【要約】【課題】タイヤ内部に不織布からなる吸音部材を配設して車室内騒音の低減をもたらすとともに、タイヤ内部に取り付けられる無線タグに加わる衝撃や振動などを低減することができる空気入りタイヤを提供する。【解決手段】空気入りタイヤ１は、吸音部材９および無線タグ１１をタイヤ内面に有する。吸音部材９は、繊維フィラメントを絡ませて成型した不織布からなり、無線タグ１１は、本体部とアンテナ部とを有し、本体部は、吸音部材９の内部または表面にに取り付けられており、アンテナ部は、吸音部材９の内部に配置されている。【選択図】図１
2010179888.tif 000002
【特許請求の範囲】
【請求項１】
吸音部材および無線タグをタイヤ内面に有する空気入りタイヤにおいて、
前記吸音部材は、繊維フィラメントを絡ませて成型した不織布からなり、
前記無線タグは、本体部とアンテナ部とを有し、
前記本体部は、前記吸音部材を介してタイヤ内面に取り付けられており、
前記アンテナ部は、少なくとも一部が前記吸音部材の内部に配置されていることを特徴とする空気入りタイヤ。
【請求項２】
前記本体部は、前記吸音部材の内部または表面に配置されていることを特徴とする請求項１に記載の空気入りタイヤ。
【請求項３】
前記無線タグは、タイヤの内部状態を検出するセンサを備えることを特徴とする請求項１または２に記載の空気入りタイヤ。
【発明の詳細な説明】
【技術分野】
【０００１】
本発明は、無線タグが取り付けられた空気入りタイヤに関する。
【背景技術】
【０００２】
タイヤの空気圧、温度等のタイヤの内部状態を検出するセンサを備えタイヤのＩＤ（識別コード）を格納する無線タグ（ＲＦＩＤタグ）を、タイヤのインナーライナの内面に貼り付け、外部からタイヤの状態情報を読み取って走行中のタイヤの状態を判定するとともに、タイヤの識別情報などを読み取ってタイヤを管理することにより、車両走行における安全性を高めることが提案されている。
しかしながら、無線タグを、タイヤのインナーライナの内面に直接貼り付けた場合、車両走行時に加わる衝撃や振動などによって無線タグのアンテナ部が損傷し、ひいては無線タグ自体が損傷する虞がある。
そこで、特許文献１においては、無線タグをスポンジ材の内部に埋め込んでタイヤ内側面に取り付けることによって、無線タグを衝撃や振動などから適切に保護する空気入りタイヤが提案されている。
【先行技術文献】
【特許文献】
【０００３】
【特許文献１】特開２００７−１７６４０３号公報
【発明の概要】
【発明が解決しようとする課題】
【０００４】
しかしながら、無線タグをスポンジ材の内部に埋め込んだ場合、スポンジ材の内部では動きの自由度が制限されるので、走行時にタイヤが変形した場合、無線タグのアンテナ部がその変形に追従できず、アンテナ部を損傷することがある。
本発明は、このような問題点に鑑みてなされたものであり、本発明の目的は、走行時にタイヤが変形した場合であっても、無線タグのアンテナ部に加わる変形を緩和して、アンテナ部の損傷を防止し、ひいては無線タグの損傷を防止できる空気入りタイヤを提供することにある。
【課題を解決するための手段】
【０００５】
上記目的を達成するため、本発明は、吸音部材および無線タグをタイヤ内面に有する空気入りタイヤにおいて、前記吸音部材が、繊維フィラメントを絡ませて成型した不織布からなり、前記無線タグが、本体部とアンテナ部とを有し、前記本体部が、前記吸音部材を介してタイヤ内面に取り付けられており、前記アンテナ部の少なくとも一部が、前記吸音部材の内部に配置されていることを特徴とする。
【０００６】
前記本体部は、前記吸音部材の内部または表面に配置されていることが好ましく、前記無線タグは、タイヤの内部状態を検出するセンサとそれらの履歴を記録する機能を備えることが好ましい。
【発明の効果】
【０００７】
本発明は、無線タグのアンテナ部を、ある程度動きの自由度が存在する吸音部材の内部もしくは表面に配置するため、走行時にタイヤが変形しても、自由に大きく屈曲しなくなるので、アンテナ部の損傷を防止でき、ひいては無線タグの損傷を防止できる。
【図面の簡単な説明】
【０００８】
【図１】この発明の実施の形態を示す部分略線断面図である。
【図２】無線タグの外観を示す図である。
【図３】無線タグの本体部の電気回路構成を概略的に示す図である。
【発明を実施するための形態】
【０００９】
本発明の実施の形態について図面を参照して説明する。図１は、この発明に係る空気入りタイヤの実施の形態を、それの転動姿勢で示すタイヤ幅方向の部分略線断面図であり、図中、１は、空気入りタイヤの全体を、２は、そのタイヤ１を組付けた適用リムをそれぞれ示す。
【００１０】
空気入りタイヤ１は、トレッド部３、このトレッド部３のそれぞれの側部に連続する一部のサイドウォール部４および、各サイドウォール部４の内周側に連続するビード部５を備え、これらの各部は、両ビード部間にトロイダルに延びてタイヤの骨格をなすカーカス６によって補強され、そしてトレッド部３は、カーカス６のクラウン域の外周側に配置したベルト７によってさらに補強される。
なお、図中Ｗは、トレッド接地幅を示すものとし、Ｅは、タイヤ赤道面を示すものとする。
【００１１】
そして、ここにおけるタイヤ１はさらに、インナーライナ８の内面に、繊維フィラメントを絡ませて成型した不織布からなる吸音部材９を、たとえば、そこに溶融含浸させた含浸層その他の接着層１０を介して、タイヤ赤道面Ｅを中心として、たとえば、インナーライナ８の全周にわたって、または周方向の一部分だけに固着させている。
さらに、吸音部材９の内部には、無線タグ（ＲＦＩＤタグ）１１が、アンテナ部をタイヤ周方向と直交方向となるようにして配置されている。
【００１２】
なお、上述した実施の形態では、無線タグ１１の本体部２１は、吸音部材９の内部に配置されているが、無線タグ１１の本体部２１を、外部である吸音部材の表面に配置するようにしてもよい。アンテナ部２２も吸音部材９の内部に配置されているが、アンテナ部２２の一部を吸音部材９の表面に配置してもよい。
また、無線タグを、アンテナ部をタイヤ周方向と直交方向にして配置したが、アンテナ部をタイヤ周方向となるように配置してもよい。
また、アンテナ部２２および本体部２１を吸音部材９の内部に配置する際に、無線タグに加わる衝撃や振動などを低減するためには、接着層１０から０．５ｍｍ以上となるように配置することが好ましい。
【００１３】
図２は、無線タグの外観を示す図である。無線タグ１１は、本体部２１とアンテナ部２２とにより構成されている。
【００１４】
図３は、無線タグの本体部の電気回路構成を概略的に示す図である。本体部２１は、タイヤの空気圧、温度等のタイヤの内部状態を検出するセンサ３１と、センサ３１からのデータを処理するＣＰＵ３２と、タイヤのＩＤ（識別コード）を格納するメモリ（ＲＯＭ）３３と、センサ３１から得られたデータ、製品情報（製造年月日、流通過程、検査情報等）を格納する書き換え可能メモリ３４と、メモリ３３に格納されたＩＤ（識別コード）とメモリ３４に格納されたデータを外部に電波で送信する送受信ユニット３５と、バッテリ３６を備えている。
【００１５】
センサ３１は、例えば、圧力センサ、温度センサ等であり、タイヤ内腔部の圧力等を連続的に検出し、ＣＰＵ１５は、走行時にセンサ３１からの信号を処理し、メモリ３４に記録する。そして、送受信ユニット３５は、アンテナ部２２から電波でメモリ３３、３４に記録されているデータを車体側に搭載されたリーダー／ライター装置（図示せず）に送信する。
【００１６】
なお、センサ３１を省略して、メモリ（ＲＯＭ）３３に格納する無線タグのＩＤ（識別コード）、メモリ３４に格納する製品情報を使用して、無線タグをタイヤの管理のみに使用するようにしてもよい。
また、無線タグは、センサ３１から得られたデータの履歴を、書き換え可能メモリ３４に記録（格納）する機能を備えるようにしてもよい。
【００１７】
ここで、不織布からなる吸音部材９は、タイヤ赤道面Ｅを中心として、トレッド接地幅Ｗの３０〜１００％に相当する範囲内の幅を有するものとすることが、タイヤの耐久性を損なうことなしに、すぐれた吸音効果を発揮させることができる点で好ましい。また、それの厚さは、１０〜５０ｍｍの範囲とするのが、すぐれた吸音効果を発揮させるとともに無線タグへの衝撃吸収効果を確保する点で好ましい。
【００１８】
また、吸音部材９の密度は５〜５００ｋｇ／ｍ３とするのが好ましく、これを５ｋｇ／ｍ３未満とすると部材としての形状安定性が失われ、例えばタイヤ内面に取り付けて走行させたとき部材がタイヤから脱落する可能性があり、また、５００ｋｇ／ｍ３を越えるものとした場合には、タイヤ重量を増加させ、燃費を急激に悪化させる。
また、吸音部材９のインナーライナ８への貼り付け（固着）は加硫前、加硫後のいずれでもよい。
【００１９】
上述したように、本発明は、無線タグのアンテナ部が、吸音部材の内部に配置されるため、タイヤに振動が生じた際に、強制的に大きく屈曲しなくなるので、アンテナの損傷を防止でき、ひいては無線タグの損傷を防止できる。
さらに、タイヤからの振動やタイヤ自体の屈曲を、不織布内の空隙で吸収できるので、アンテナの損傷を防止でき、ひいては無線タグの損傷を防止できる。
また、本発明は、タイヤ内部に不織布からなる吸音部材を配設しているので空洞共鳴騒音を低減させることができる。
【符号の説明】
【００２０】
１  空気入りタイヤ
２  リム
３  トレッド部
４  サイドウォール部
５  ビード部
６  カーカス
７  ベルト
８  インナーライナ
９  吸音部材
１０  接着層
１１  無線タグ
２１  本体部
２２  アンテナ部
３１  センサ
３２  ＣＰＵ
３３  メモリ（ＲＯＭ）
３４  メモリ
３５  送受信ユニット
３６  バッテリ
【図１】
2010179888.tif 000003
【図２】
2010179888.tif 000004
【図３】
2010179888.tif 000005